(57)【要約】【課題】装着した際の安定性とかぶり心地性を向上させて快適なフィット感を与えるかつら。【解決手段】ネットをベースとしたかつらにおいて、ベースのサイド部のー部を弾性ネットで形成したかつら。【選択図】図１
2008063696.tif 000002
【特許請求の範囲】
【請求項１】
ネットをベースとしたかつらにおいて、ベースのサイド部のー部を弾性ネットで形成したことを特徴とするかつら。
【請求項２】
弾性ネットは、上下方向を先細とした三日月状であることを特徴とする請求項１記載のかつら。
【請求項３】
ベースのネープ部の中央領域を弾性ネットで形成したことを特徴とする請求項１または２記載のかつら。
【請求項４】
ネープ部の中央領域に設けられた弾性ネットは、下端に向かって拡開する形状としたことを特徴とする請求項３記載のかつら。
【請求項５】
サイド部の前側に連接されたサイドプロテクタの一部を弾性ネットで形成したことを特徴とする請求項１〜４のいずれかに記載のかつら。
【請求項６】
サイドプロテクタの一部に設けられた弾性ネットが、三角形状に形成されていることを特徴とする請求項５記載のかつら。
【請求項７】
サイドプロテクタの一部に設けられた弾性ネットが上下方向に複数形成されていることを特徴とする請求項５または６記載のかつら。
【請求項８】
かつらベースのくり部からネープ部に掛けて、伸縮自在な軟質の弾性部材がエッジラインに沿って添設されていることを特徴とする請求項１〜７のいずれかに記載のかつら。
【請求項９】
伸縮自在な軟質の弾性部材が、湾曲部を有することを特徴とする請求項８に記載のかつら。
【請求項１０】
かつらベースのくり部は、頂部が前額髪際中央部及び盆の窪間を結ぶ仮想線とつむじ部及び顎部間を結ぶ仮想線との交点に位置するように形成されていることを特徴とする請求項１〜９いずれかに記載のかつら。
【請求項１１】
くり部の前側に連接されたサイドプロテクタの下端部が、つむじ部及び顎部間の仮想延長線よりも上方に位置することを特徴とする請求項１〜１０のいずれかに記載のかつら。
【発明の詳細な説明】
【技術分野】
【０００１】
本発明は、ネットを基材とするかつらベースに毛髪を植設したレディメイド或いはオーダーメイドのかつらに関するものである。
【背景技術】
【０００２】
従来、レディメイド或いはオーダーメイドのかつらとして、着用時のフィット感が得られるように、着用者の頭部の大きさに合った周縁を有する帽状のかつらベースに人工及び／又は天然の毛髪を植設しており、このかつらベースは、圧迫感を与えないように、主として合成繊維製のネット部材を用い、かつらのサイドからネープ部にかけてのエッジラインを自然な毛髪生え際形状に沿うように、耳上部乃至耳後部に対応する部分を湾曲状に切除してくり部を設けるとともに、ネープ部は後頭部のヘアラインに対応して盆の窪みからうなじまでの幅をもって、横長状に形成され、その周囲は縁取りテープで補強されている。
【０００３】
そして、頭皮からの浮き上がりがない密着感を得るために、くり部の湾曲形状に沿って厚肉の金属線やプラスチック材等の剛性部材又は硬質の弾性部材のような硬材を挿入添設したり、或いはくり部を樹脂材で硬化することにより、くり部の伸びや変形を抑えるようにするとともに、サイドプロテクタに金属線材などの耳芯を介挿してサイドプロテクタの浮き上がりを防止するようにしたものが提案されている。（特許文献１参照）
【０００４】
このようなかつらでは、着用者の首が上下すると、ネープ部と盆の窪みとの間の密着が次第に緩くなったりする。とくに着用者が首を後ろに反らすことにより、ネープ部が凹状に反って、ネープ部１３の浮き上がりの原因となってしまい、自然で良好なフィット感が得られず、外観的にも見栄えが悪いという問題点がある。
【０００５】
そこで、本発明者は、ネープ部の浮き上がりを防止してフィット性を向上させるために、細線材を複数本幅状に配列して湾曲状に成形したボーンを、ネープ部の盆の窪み対応位置に圧接するように配置したかつらを提案した（特許文献２参照）。
【０００６】
【特許文献１】実開昭５７−１４３２１８号公報
【特許文献２】特開２００１−８１６１８号公報
【発明の開示】
【発明が解決しようとする課題】
【０００７】
ところが、これらのかつらは、一般的な頭形状に合うように全体が帽状に膨出されているが、着用者の頭が小さい場合や首が細いような場合には、かつらにたるみが生じ、縁取りテープによってもこのたるみを吸収することができず、また、アジャスターを設けることによりサイズを微調節できるが、かつらベースのエッジラインをヘアラインに沿って充分に整合させることは難しため、装着した際の安定性やかぶり心地性に問題がある。さらに、後者のかつらでは、ネープ部に剛性のボーンを設けているため、着用者の首の上下及び左右の動きにネープ部は追随できず、そのため、ずり上がりが生ずるとともに、着用者の襟足とかつらとが相対的に摺動して、摩擦傷の原因となる恐れがある。また、ボーンが剛性であるため、特に、頭髪のない着用者にとって地肌に直接触れて装着感を損ない、装着者にとって満足した装着感を得ることができないという問題がある。
【０００８】
そこで、本発明は上記の点に鑑み、装着した際の安定性とかぶり心地性を向上させて快適なフィット感を与えるかつらを提供することを課題とするものである。
【課題を解決するための手段】
【０００９】
ネットを基材とするかつらベースに、多数の毛髪を植設してなるかつらにおいて、側頭部を覆うサイド部の一部を弾性ネットで形成して、装着した際の安定性とかぶり心地性とを向上させてフィット感を向上させたかつらを提案するものである。また、本発明者が先に出願した特願２００６−１５３１０３号において提案した、ネープ部の中央領域を弾性ネットで形成した構成と、特願２００６−６５４０３号において提案した、くり部とくり部からネープ部にかけて設けた弾性部材を用いた構成とを組み合わせることにより、着用性を更に向上させるものである。
【００１０】
本発明の主な構成は次のとおりである。
（１）ネットをベースとしたかつらにおいて、かつらベースのサイド部の一部を弾性ネットで形成したことを特徴とするかつら。
（２）弾性ネットは、頭部の前後方向を先細とした三日月状であることを特徴とする（１）記載のかつら。
（３）かつらベースのネープ部の中央領域を弾性ネットで形成したことを特徴とする（１）または（２）記載のかつら。
（４）ネープ部の中央領域に設けられた弾性ネットは、下端に向かって拡開する形状としたことを特徴とする（３）記載のかつら。
（５）ネープ部の中央領域に設けられた弾性ネットの両側を湾曲させていることを特徴とする（４）記載のかつら。
（６）サイド部の前側に連接されたサイドプロテクタの一部を弾性ネットで形成したことを特徴とする（１）〜（５）のいずれかに記載のかつら。
（７）サイドプロテクタの一部に設けられた弾性ネットが、三角形状に形成されていることを特徴とする（６）記載のかつら。
（８）サイドプロテクタの一部に設けられた弾性ネットが上下方向に複数形成されていることを特徴とする（７）記載のかつら。
（９）かつらベースのくり部からネープ部に掛けて、伸縮自在な軟質の弾性部材がエッジラインに沿って添設されていることを特徴とする（１）〜（８）のいずれかに記載のかつら。
（１０）伸縮自在な軟質の弾性部材が、湾曲部を有することを特徴とする（９）記載のかつら。
（１１）伸縮自在な軟質の弾性部材の後端部に係止具を設け、該係止具はネープ部に設けた受部に係止することを特徴とする（９）または（１０）記載のかつら。
（１２）かつらベースのくり部は、頂部が前額髪際中央部及び盆の窪間を結ぶ仮想線とつむじ部及び顎部間を結ぶ仮想線との交点に位置するように形成されていることを特徴とする（１）〜（１１）のいずれかに記載のかつら。
（１３）くり部の前側に連接されたサイドプロテクタの下端部が、つむじ部及び顎部間の仮想延長線よりも上方に位置することを特徴とする（１）〜（１２）のいずれかに記載のかつら。
【発明の効果】
【００１１】
本発明は、人間の頭の形のバラエティーに富む個人差をネットベースで形成されたかつらのサイド部の一部に伸縮性を付与することにより吸収し、フィット性を向上させたものである。特に、膨らんでいたり、角張っていたり、微妙に左右にアンバランスがあるなど形に変化の多い人間の側頭部に対応するかつらのサイド部に伸縮部分を設けることにより、適応性を向上させている。
また、ネープ部やサイドプロテクターやくり部からネープ部にかけてのエッジ部に伸縮性部材を設けることにより、フィット性及び頭の傾動などの動きへの追随性を向上させたものである。そして、耳当たりを防止できる構成を採用することにより、より一層の着用性の向上を実現している。
本発明の各請求項に対応する主な効果は次のとおりである。
１．本発明に係るかつらは、かつらベースのサイド部の一部を弾性ネットで形成しているので、かつらベースに軽度の伸縮性が付与され、圧迫感を与えずに安定性が確保されるとともに、かぶり心地とフィット感を向上させることができる。
２．本発明に係るかつらは、弾性ネットが上下を先細とした三日月状にしているので、かつらベースの上下左右が適度に伸縮して、前記１の効果をさらに向上させることができる。
【００１２】
さらに、本発明に係るかつらは、前記１、２に記載の効果に加えて以下の３〜１４の効果を奏する。
３．本発明に係るかつらは、ネープ部の中央領域を弾性ネットで形成しているので、かつらを着用したときネープ部が襟足の丸みに沿ってぴったりと密着すると共に、装着者の首の上下左右の動きに追随して弾性ネットが伸縮して、その動きを吸収するので、ずり上がりや浮き上がりが防止でき、着用者の襟足とネープ部と摺動しないので摩擦傷の発生も防止できる。しかも、弾性ネットを中央領域に形成して、ネープ部の左右両側部を非伸縮性としているので、めくり上がりが防止できると共に、圧迫感がほとんどなく快適の装着感を得ることができる。
４．本発明に係るかつらは、弾性ネットが下端に向かって拡開するように両側を傾斜させているので、特に、装着者の上下方向の動きに対して追随して伸縮して、その動きを吸収する。弾性ネットの伸縮性が上は小さく下側は大きくなり、上側は固定性を、下側は追従性が向上し、ズレが防止されて、安定性と着用性が向上する。
５．本発明に係るかつらは、弾性ネットの両側を湾曲させていることにより、特に、装着者の上下方向の動きに対して的確に追随して伸縮し、確実にその動きを吸収する。
６．サイド部の前側に連接されたサイドプロテクタの一部を弾性ネットで形成しているので、サイドプロテクタに加わる張力が緩衝されて、装着感及び密着性が向上する。
７.本発明に係るかつらは、弾性ネットが、サイドプロテクタの前縁を一辺とする三角形状に形成されているので、サイドプロテクタの前縁に弾性が付与され、安定性が向上する。
８．本発明のかつらは、弾性ネットが上下方向に複数段形成されているので、圧迫感を与えずに、装着感及び密着性が向上する。
９．本発明に係るかつらは、くり部からネープ部に掛けて、伸縮自在な軟質の弾性部材がエッジラインに沿って添設されているので、ネープ部の弾性ネットと協働して密着性が向上する。
１０．本発明に係るかつらは、伸縮自在な軟質の弾性部材が湾曲部を有するので、自然の状態のエッジラインを形成できるとともに、このエッジラインを保った状態で密着性を維持できる。
１１．本発明に係るかつらは、弾性部材の後端部に係止具を設け、該係止具はネープ部に設けた受部に係止するので、弾性部材の緊張力を調整することができ、着用者の個性に合わせて微調整ができる。また、緊張力を保持することにより、湾曲部を有する弾性体のエッジラインの保持力を効果的に発揮できる。
１２．本発明に係るかつらは、くり部は、頂部が前額髪際中央部及び盆の窪間を結ぶ仮想線とつむじ部及び顎部間を結ぶ仮想線との交点に位置するように形成されているので、くり部は深く抉られた形となるとともに、かつらを装着した際、くり部の頂部が、かつらの前後方向に最も大きな張力が生じる着用者の前額髪際中央部及び盆の窪間を結ぶ仮想線上に位置している。これにより、くり部と耳の付け根との間には十分な余裕があるので、深く被ったり、左右に引っ張ても、耳に当接して擦ったり、或いはサイドプロテクタなどの浮き上がりも生じるようなことがなく、頭皮に密着した状態を維持することができ、弾性ネットを設けたネープ部と相まってかつらベース全体として頭部にぴったりと装着して良好なフィット感を得ることができる。
１３．本発明に係るかつらは、くり部の前側に連接されたサイドプロテクタの下端部が、つむじ部及び顎部間の仮想延長線よりも上方に位置するので、眼鏡を着用した際に、サイドプロテクタに当たることがないので、違和感を与えることはない。
１４．本発明に係るかつらは、前記サイドプロテクタは、くり部の頂部あるいはくり部の頂部より前側に接合されており、サイドプロテクタのくり部における接合角度が前額髪際中央部及び盆の窪間を結ぶ仮想線に対して９０度以下であるので、特に、湾曲弾性部材を用いた場合は、弾性部材の持ち上げ力を向上させることができる。
【発明を実施するための最良の形態】
【００１３】
本発明のかつらは、ネットをベースとし、基本的には、頭髪の一般的な自然なヘアライン、即ち前額部から左右両サイドのこめかみを経てもみあげ途中まで下降し、もみあげから耳後部を通って、うなじにかけて再び下降し、首後ろの盆の窪みの下方を経る毛髪の生え際状態にほぼ一致するような形状に形成されたほぼ帽状のかつら、所謂、全かつらである。ただし、前額部のエッジラインを後退させた形状としたり、或いはサイドプロテクタを省略或いは変形した形状としたりすることは、着用者の希望或いはヘアデザインにより任意であり、このような変形タイプのものも含まれる。また、オーダーメイド或いはレディメイド何れのタイプにも適用可能である。
【００１４】
本発明のかつらベースは、好適には、合成繊維素材により形成された柔軟なネットベースを主体として或いは部分的に軟質合成樹脂製の人工皮膚を配設して構成され、人工及び／又は天然毛髪が植毛されるようになっている。
【００１５】
側頭部を覆うかつらベースのサイド部は、一部をポリウレタン繊維のようなストレッチ素材からなる弾性ネットで形成して伸縮性を付与したもので、弾性ネットは、植毛可能であれば、細目、荒目何れであってもよい。また、頭部の前後及び左右方向に伸縮性が付与できれば弾性ネットの形状は如何なるものであってもよいが、頭部の前後方向を先細とした三日月状とすると、前後方向に伸縮性が付与されるとともに、張力の異なる左右方向の伸びを均質にできため、装着した際の安定性とかぶり心地とを一層向上させることができ、頭の形状の個人差も吸収して装着性を向上させるものである。
【００１６】
以下、本発明の第１の実施例を図１〜３に基づいて説明する。
ここで、図１は、本実施例における着用時の状態を示すかつらベースの側面図であり、図２は、本実施例のかつらベースの要部を示す側面図であり、図３は、本実施例のプロテクタの他の実施例の側面図である。
【００１７】
本実施例のかつらベース１０は、合成繊維素材により形成された柔軟なネットベースで構成され、図１に示すように、頭部中央を前額部から首後ろの盆の窪みまでを覆うセンター部１１と、センター部１１の後側に連接されたネープ部１２と、側頭部を覆うサイド部１３と、サイド部１３に連接されたサイドプロテクタ１４とからなり、毛髪の生え際とほぼ整合するように、かつらを着用した際、これらのエッジ部が前額部からもみあげ部（サイドプロテクタ１４）を経て耳上部に至り、更に耳後部からネープ部１３に至るエッジラインを有するように形成され、かつらベース１０のフロント側のエッジライン１０ａを前額髪際中央部ＦＰに合わせ、リア側のエッジライン１０ｂをネープ部１２に設けて襟足のヘアラインに合わせるようにしている。また、かつらを着用した際、着用者の耳にあたらないように、かつらのサイド部１３の耳上部乃至耳後部に対応するくり部１３ａが、耳上部乃至耳後部にかけてのヘアラインと同様の湾曲状に形成されている。      
【００１８】
ネープ部１２は、図１に示すように、後頭部のヘアラインに対応して盆の窪みからうなじまでの幅をもって、横長状に形成され、中央領域は、両側を下方に向かって拡開した円弧状、すなわち、円弧状の弾性ネット１２ｂから構成されている。また、ネープ部本体１２ａは、柔軟なネット素材で構成され、その周囲はテープで縁取りされている。
【００１９】
この弾性ネット１２ｂは、ポリウレタンのような弾性の単繊維素材により形成され、その弾性による伸縮により、ネープ部１２を着用者の襟足の丸みに沿ってぴったりと密着させるとともに、装着者の首の上下左右の動きに追随して弾性ネット１２ｂが伸縮して、その動きを吸収する。したがって、ずり上がりや浮き上がりが防止でき、着用者の襟足とネープ部とが摺動しないので摩擦傷の発生も防止できる。
ネープ部１２は、弾性ネット１２ｂを中央領域に形成して、ネープ部１２の左右両側部を非伸縮領域としているので、めくり上がりが防止できると共に、圧迫感がなく快適の装着感を得ることができる。
【００２０】
なお、本実施例では、弾性ネット１２ｂを両側を下方に向かって拡開した円弧状のものを用いているが、両側を下方に向かって直線状に傾斜させたもの、両側を平行にしたもの、両側を内側に膨らませて円弧状としたものであってもよい。
【００２１】
サイド部１３は、図１、２に示すように、センター部１１との接続部を円弧状に形成し、この円弧状の接続部の一部を形成するように、頭部の前後方向を先細とした三日月状の弾性ネット１３ｂが取り付けられ、つむじ部ＧＰと顎部ＡＰを結ぶ線Ｌ２の近傍を最大幅にしている。このように、三日月状に形成した弾性ネット１３ｂをサイド部1３に設けているので、頭部の前後方向に伸縮性が付与されるとともに、左右方向の張力が最も大きなつむじ部ＧＰと顎部ＡＰを結ぶ線Ｌ２の近傍を最大幅とし、上下方向にその幅を漸減されるので張力が均一化され、しかも、弾性ネット１３ｂ自体のは面積が小さいため、装着した際に圧迫感を与えずに安定に保持できる。
【００２２】
また、くり部１３ａからネープ部１２に掛けて、伸縮自在な軟質の弾性部材１３ｃをこれらのエッジラインに沿って添設して、かつら着用時に弾性部材１３ｃにより密着性を付与し得るようになっている。この伸縮自在で軟質な弾性部材１３ｃは、例えば平ゴム紐等であり、一端部１３ｅをくり部１３ａの下部近傍に固定させ、他端部１３ｆをネープ部１２近傍に固定している。
【００２３】
くり部１３ａの前側には、サイドプロテクタ１４が連設されている。本実施例のかつらベース１０は、柔軟なネット素材で構成されている。サイドプロテクタ１４部分も柔軟であるので、耳芯１４ａを配置することにより浮き上がりを防止することができる。この耳芯１４ａは、例えば変形可能な金属片或いはプラスチック片をサイドプロテクタ１４の表面或いは内面から付設することにより構成することができる。
【００２４】
サイドプロテクタ１４の上部には、サイドプロテクタ１４の前縁を一辺とする三角形状の弾性ネット１４ｂが形成され、サイドプロテクタ１４の前縁に伸縮性を付与して密着性を高めるとともに、ネープ部１２に向かう張力を緩衝するようにして、装着時の安定性とかぶり心地性を向上させる。
【００２５】
なお、サイドプロテクタ１４に形成する弾性ネット１４ｂは、上記実施例のものに限らず、図３に示すように、（ａ）上下２段に形成したもの、（ｂ）前縁部を長くしたもの、（ｃ）上部全面としたものであってもよい。
【００２６】
本実施例のかつらは、上記構成からなるので、サイド部１３に設けた弾性ネット１３ｂによって上下方向及び左右方向に軽度の伸縮性が付与され、圧迫感なしに頭部にフィットするとともに、ネープ部１２は、弾性ネット１２ｂによって着用者の襟首の丸みに沿って、襟首に確実にフィットするので、着用者の頭の大小や首の太い細いに関係なく着用者に安定して装着される。さらに、くり部１３ａからネープ部１２に掛けて設けた弾性部材１３ｃと協働して、かつらのエッジラインをヘアラインに沿って充分に整合させることができるようになり、フィット感や外観上の見栄えを向上する。また、着用者が繰り返し首を上下及び左右に動かしても、その動きを弾性ネット１２ｂの伸縮により吸収するので、長期の使用によってもネープ部１２のずり上がり、めくり上がり及び浮き上がりが生ぜず、フィット感が増す。
【００２７】
次に、本発明の第２の実施例について、図４及び図５に基づいて説明する。
ここで、図４は、本実施例における着用時の状態を示すかつらベースの側面図であり、図６は、本実施例のかつらベースの要部を示す側面図である。
【００２８】
本実施例のかつらベース２０は、前述した第１の実施例と同様に、合成繊維により形成された柔軟なネットベースで構成され、図４に示すように、頭部中央を前額部から首後ろの盆の窪みまでを覆うセンター部２１と、センター部２１の後側に連接されたネープ部２２と、側頭部を覆うサイド部２３と、サイド部２３に連接されたサイドプロテクタ２４とからなり、毛髪の生え際とほぼ整合するように、かつらを着用した際、エッジ部が前額部からもみあげ部（サイドプロテクタ２４）を経て耳上部に至り、更に耳後部からネープ部２２に至るエッジラインを有するように形成されており、かつらベース２０のフロント側のエッジライン２０ａを前額髪際中央部ＦＰに合わせ、リア側のエッジライン２０ｂをネープ部２２に設けて襟足のヘアラインに合わせるようにして形成され、かつらを着用した際、着用者の耳にあたらないように、かつらのサイド部の耳上部乃至耳後部に対応するくり部２３ａが、耳上部乃至耳後部にかけてのヘアラインと同様の湾曲状に形成されている。
【００２９】
本実施例のサイド部２３は、第１の実施例と同様に、センター部２１との接続部を円弧状に形成し、この円弧状の接続部の一部を形成するように、頭部の前後方向を先細とした三日月状の弾性ネット２３ｂが取り付けられ、つむじ部ＧＰと顎部ＡＰを結ぶ線Ｌ２の近傍を弾性ネット２３ｂの幅を最大にしている。また、ネープ部２２も、第１の実施例と同様に、後頭部のヘアラインに対応して盆の窪ＢＰからうなじまでの幅をもって、横長状に形成され、中央に円弧状の切欠部が設けられたネープ部本体２２ａと円弧状の切欠部に縫いつけられた半円状の弾性ネット２２ｃとから構成されている。
【００３０】
図５に示すように、本実施例のくり部２３ａは、頂部２３ｄを前額髪際中央部ＦＰ及び盆の窪ＢＰ間を結ぶ仮想線Ｌ１とつむじ部ＧＰ及び顎部ＡＰ間を結ぶ仮想線Ｌ２との交点に位置するように形成するとともに、くり部２３ａからネープ部２２に掛けて、伸縮自在な軟質の弾性部材２３ｃがこれらのエッジラインに沿って湾曲状に添設している。  
【００３１】
この伸縮自在で軟質な弾性部材２３ｃは、例えば平ゴム紐等であり、弾性部材２３ｃの一端部２３ｅをくり部２３ａの頂部２３ｄ近傍に固定させ、他端部２３ｆをネープ部２２に設けた留め具２５に係止させるようにして長さ調節を可能とするとともに、これらの端部２３ｅ、２３ｆ間を自由状態で配置している。このように、弾性体２３ｃの一端部２３ｅを、くり部２３ａの頂部２３ｄの近傍に固定すると、張力が加わっても、この固定部が抵抗となって、湾曲したくり部２３ａの維持に有効である。
【００３２】
また、くり部２３ａの前側に連接したサイドプロテクタ２４には、その下端部２４ｃが頭部のつむじ部ＧＰ及び顎部ＡＰ間を結ぶ仮想線Ｌ２よりも上方に位置するようにするとともに、第１の実施例と同様に、サイドプロテクタ２４の浮き上がりを防止するため、耳芯２４ａが配置され、耳芯２４ａの上部には第１の実施例と同様の弾性ネット２４ｂが設けられている。このように、サイドプロテクタ２４の下端部２４ｃをこのような位置を設定すると、眼鏡を使用した際に、サイドプロテクタ２４には当たることが防止できるので、違和感を生ずることがない。特に、前額髪際中央部及び盆の窪間を結ぶ仮想線に対するサイドプロテクタ２４の下辺の取付角θを９０°以下とすると、サイドプロテクターの先端が下がらないようにすることができ、眼鏡のツル当たりを軽減することができる。
【００３３】
本実施例のかつらは、上記構成からなるので、かつらを装着すると、くり部２３ａまわりは、前額髪際中央部ＦＰから盆の窪ＢＰへかけての大きな張力と弾性部材２４の弾力によって引っ張られるが、くり部２３ａの頂部２３ｄが前額髪際中央部ＦＰ及び盆の窪ＢＰ間を結ぶ仮想線Ｌ１上に位置し、弾性体２４が湾曲状に配置されているので、くり部２３ａは湾曲状の形状を維持することができる。従って、かつら着用時にくり部２３ａの湾曲形状が維持されるとともに、弾性部材２３ｃの張力により、常に違和感のない良好なフィット感を得ることができる。しかも、サイド部２３に形成した弾性ネット２３ｂによって圧迫感なしに頭部にフィットするとともに、ネープ部２２に設けた弾性ネット２２ｃによって着用者の襟首の丸みに沿って、襟首に確実にフィットするので、着用者の頭の大小や首の太い細いに関係なく着用者に安定して装着されて、かつらのエッジラインをヘアラインに沿って充分に整合させることができるようになり、フィット感や外観上の見栄えを向上することができる。また、着用者が繰り返し首を上下及び左右に動かしても、弾性ネットがその動きを吸収するので、長期の使用によってもネープ部２２のずり上がり、めくり上がり及び浮き上がりが生ぜず、フィット感が増す。
【００３４】
また、くり部２３の頂部が前額髪際中央部ＦＰ及び盆の窪ＢＰ間を結ぶ仮想線Ｌ１とつむじ部ＧＰ及び顎部ＡＰ間を結ぶ仮想線Ｌ２との交点に位置しているため、サイドプロテクタ２４の先端２４ｃからくり部２３ａのエッジラインまでの奥行を大きく確保することができるので、くり部２３ａが耳にあたるのを確実に防ぐことができる。
【００３５】
さらに、くり部２３ａを所定の湾曲形状を保つとともに、サイドプロテクタ２４の下端部２４ｃがつむじ部ＧＰ及び顎部ＡＰ間を結ぶ仮想線Ｌ２よりも上方に位置していることにより、眼鏡の使用時においても、サイドプロテクタに当たることがなく、また、くり部２３ａのまわりに違和感が生ずることもないので、良好な装着感を得ることができる。
【図面の簡単な説明】
【００３６】
【図１】第１の実施例における着用時の状態を示す側面図。
【図２】第１の実施例のかつらベースの要部を示す側面図。
【図３】サイドプロテクタの他の実施例を示す側面図。
【図４】第２の実施例における着用時の状態を示す側面図。
【図５】第２の実施例のかつらベースの要部を示す側面図。
【符号の説明】
【００３７】
１０、２０  かつらベース
１０ａ、２０ａ  フロント側のエッジライン
１０ｂ、２０ｂ  リア側のエッジライン
１１、２１  センター部
１２、２２  ネープ部
１２ａ、２２ａ  ネープ部本体
１２ｂ  切欠部
１２ｂ、２２ｂ  弾性ネット
１３、２３  サイド部
１３ａ、２３ａ  くり部
１３ｂ、２３ｂ  弾性ネット
１３ｃ、２３ｃ  弾性部材
２３ｄ  くり部の頂部
１３ｅ、２３ｅ  弾性部材の一端部
１３ｆ、２３ｆ  弾性部材の他端部
１４、２４  サイドプロテクタ
１４ａ、２４ａ  耳芯
１４ｂ、２４ｂ  弾性ネット
２４ｃ  サイドプロテクタの下端部
２５  留め具
Ｌ１  前額髪際中央部ＦＰ 及び盆の窪ＢＰ 間を結ぶ仮想線
Ｌ２  つむじ部ＧＰ 及び顎部ＡＰ 間を結ぶ仮想線
【図１】
2008063696.tif 000003
【図２】
2008063696.tif 000004
【図３】
2008063696.tif 000005
【図４】
2008063696.tif 000006
【図５】
2008063696.tif 000007